(57)【特許請求の範囲】
【請求項１】
戸板（１１、１２）同士をセンタ蝶番（２０）を介して折り畳み自在に連結してなる折戸（１０）を、レール（３０）に吊り下げて開閉動可能に支持する吊り折戸の吊り下げ装置であって、
前記レール（３０）に走行可能に取り付けられた走行ユニット（４１）と、
前記走行ユニット（４１）と一方の戸板（１１）とを互いに水平回動自在に連結しているスライド蝶番（４２）と、を有し、  前記走行ユニット（４１）は、前記一方の戸板（１１）の背面の戸先近くに設けられて前記レール（３０）に係合しつつ走行する走行部（４１Ａ）と、当該走行部（４１Ａ）の下に水平回動可能に連結された吊下ブロック（４６）とを有し、
前記吊下ブロック（４６）は、
前記折戸（１０）の閉まり際における戸板（１１、１２）の急激な回動を制動するダンパ（４７）を装着可能なダンパ装着部（４８Ｆ、４８Ｒ）を走行方向両端部に有し、
両ダンパ装着部（４８Ｆ、４８Ｒ）のうち一方のダンパ装着部（４８Ｆまたは４８Ｒ）に前記スライド蝶番（４２）が取り付けられ、他方のダンパ装着部（４８Ｆまたは４８Ｒ）に前記ダンパ（４７）が装着され、
前記ダンパ（４７）は、
前記折戸（１０）の閉まり際に前記一方の戸板（１１）の背面に押されることにより制動力を発生し、
前記ダンパ装着部（４８Ｆ、４８Ｒ）は、
前記戸板（１１、１２）と前記走行ユニット（４１）との位置関係に応じて、前記ダンパ（４７）を装着する向き及び前記スライド蝶番（４２）を装着する向きを選択可能である、吊り折戸の吊り下げ装置。
【請求項２】
前記ダンパ（４７）は、ダンパ本体（４７Ａ）と当該ダンパ本体（４７Ａ）の一端から突き出た出力軸（４７Ｂ）とを有し、当該出力軸（４７Ｂ）が前記折戸（１０）の閉まり際に前記戸板（１１、１２）によって押されることにより制動力を発生するダンパであり、
前記ダンパ装着部（４８Ｆ、４８Ｒ）は、前記出力軸（４７Ｂ）を前記戸板（１１、１２）に向けた姿勢で前記ダンパ本体（４７Ａ）を保持するように構成されている、請求項１記載の吊り下げ装置。
【請求項３】
前記ダンパ装着部（４８Ｆ、４８Ｒ）には、前記ダンパ本体（４７Ａ）を保持するダンパホルダ（４９）を取り付け可能であり、
前記ダンパ装着部（４８Ｆ、４８Ｒ）に取り付ける前記ダンパホルダ（４９）の向きによって、前記ダンパ（４７）を装着する向きを選択可能である、請求項２の吊り下げ装置。
【請求項４】
請求項１乃至３のいずれか１項記載の吊り下げ装置を備えた吊り折戸装置。
【発明の詳細な説明】
【技術分野】
【０００１】
本発明は、吊り折戸の吊り下げ装置とそれを備えた吊り折戸装置に関するものである。
【背景技術】
【０００２】
折戸は、少なくとも二つの戸板を備え、相隣り合う戸板同士をセンタ蝶番を介して互いに水平方向に回動自在に連結するとともに、戸板の上端部をその上方に敷かれたレールにランナを介して移動自在に支持することにより、戸板相互が回動しながら開閉する構造になっている。
【０００３】
このように折戸は戸板相互が回動しながら開閉する構造上、閉めた時に戸板が左右の戸枠に当接するとともに戸板相互の木口面同士が当接する。このため折戸を閉めた際に戸板が最後まで急激に回動すると大きな衝撃音や振動が発生する。この衝撃が折戸や戸枠に繰り返し加わることが部品の損傷や劣化を早める原因となる。また一旦最後まで閉まった戸板が衝撃により跳ね返り、戸板相互が折れ曲がった姿態で半閉まり状態になるという折戸特有の問題もある。
【０００４】
吊り折戸の閉まり際における戸板の急激な回動を制動する従来技術として、ランナと共にレールに沿ってスライドするスライダにダンパを一体的に固定し、折戸の閉まり際に戸板によってダンパが圧縮されることにより制動力を発生させるように構成したものがある（特許文献１）。
【先行技術文献】
【特許文献】
【０００５】
【特許文献１】特開２００７−３０３１８４号公報（図７）
【発明の概要】
【発明が解決しようとする課題】
【０００６】
上記特許文献１に記載の従来技術では、ダンパが一体的に固定されているスライダをレールに連結した状態で建物等の開口部にレールが取り付けられるため、建物等の開口部に既に取り付けられている既設の吊り折戸装置にダンパを後付けで取り付けることができない。
【０００７】
本発明が解決しようとする課題は、吊り折戸の閉まり際における戸体の急激な回動を抑制して折戸を静かに閉めるためのダンパを、既設の吊り折戸装置に後付けで装着することができる吊り折戸の吊り下げ装置を提供すること、そして、このような吊り下げ装置を備えた吊り折戸装置を提供することにある。
【課題を解決するための手段】
【０００８】
［吊り下げ装置］
上記課題を解決するために、本発明の吊り下げ装置（４０）は、戸板（１１、１２）同士をセンタ蝶番（２０）を介して折り畳み自在に連結してなる折戸（１０）を、レール（３０）に吊り下げて開閉動可能に支持する吊り折戸の吊り下げ装置であって、
前記レール（３０）に走行可能に取り付けられた走行ユニット（４１）と、
前記走行ユニット（４１）と前記戸板（１１、１２）とを互いに水平回動自在に連結しているスライド蝶番（４２）と、を有し、
前記走行ユニット（４１）は、前記折戸（１０）の閉まり際における戸板（１１，１２）の急激な回動を制動するダンパ（４７）を後付け装着可能なダンパ装着部（４８）を有している、ことを特徴とするものである。
【０００９】
この吊り下げ装置によれば、吊り折戸の閉まり際における戸体の急激な回動を抑制して吊り折戸を静かに閉めるためのダンパを、既設の吊り折戸装置に後付けで装着できる。
【００１０】
本発明の吊り下げ装置（４０）において、前記走行ユニット（４１）は、その走行方向両端部にダンパ装着部（４８Ｆ、４８Ｒ）を有していることが望ましい。
【００１１】
本発明の吊り下げ装置（４０）において、前記ダンパ（４７）は、ダンパ本体（４７Ａ）と当該ダンパ本体（４７Ａ）の一端から突き出た出力軸（４７Ｂ）とを有し、当該出力軸（４７Ｂ）が前記折戸（１０）の閉じ際に前記戸板（１１、１２）によって押されることにより制動力を発生するダンパであり、
前記ダンパ装着部（４８Ｆ、４８Ｒ）は、前記出力軸（４７Ｂ）を前記戸板（１１、１２）に向けた姿勢で前記ダンパ本体（４７Ａ）を保持するように構成されていることが望ましい。
【００１２】
本発明の吊り下げ装置（４０）において、前記ダンパ装着部（４８Ｆ、４８Ｒ）は、
前記戸板（１１，１２）と前記走行ユニット（４１）との位置関係に応じて、前記ダンパ（４７）を装着する向きを選択可能であることが望ましい。
【００１３】
本発明の吊り下げ装置（４０）において、前記ダンパ装着部（４８Ｆ、４８Ｒ）には、前記ダンパ本体（４７Ａ）を保持するダンパホルダ（４９）を取り付け可能であり、
前記ダンパ装着部（４８Ｆ、４８Ｒ）に取り付ける前記ダンパホルダ（４９）の向きによって、前記ダンパ（４７）を装着する向きを選択可能であることが望ましい。
【００１４】
本発明の吊り下げ装置（４０）において、前記走行ユニット（４１）は、その一方のダンパ装着部（４８Ｆまたは４８Ｒ）に前記スライド蝶番（４２）が取り付けられ、他方のダンパ装着部（４８Ｆまたは４８Ｒ）に前記ダンパ４７が装着されるように構成されていることが望ましい。
【００１５】
［吊り折戸装置］
上記課題を解決するために、本発明の吊り折戸装置（１）は、本発明の吊り下げ装置（４０）を備えたものである。
【００１６】
この吊り折戸装置は、吊り折戸の閉まり際における戸体の急激な回動を抑制して折戸を静かに閉めるためのダンパを必要に応じて後付けで装着できる。
【発明の効果】
【００１７】
本発明の吊り下げ装置及び吊り折戸装置によれば、建物等の開口部に既に取り付けられている既設の吊り折戸装置に、折戸の閉まり際における戸板の急激な回動を制動するダンパを必要に応じて後付けで装着することができる。
【図面の簡単な説明】
【００１８】
【図１】本発明の吊り下げ装置を備えた吊り折戸装置の最閉状態を示す部分斜視図
【図２】図１の状態の吊り折戸装置の背面側の部分斜視図
【図３】図１の状態の吊り折戸装置の水平断面図
【図４】図１の吊り折戸装置の閉止直前の状態を示す部分斜視図
【図５】図４の状態の吊り折戸装置の背面側の部分斜視図
【図６】図４の状態の吊り折戸装置の水平断面図
【図７】図１の吊り折戸装置の最開状態を示す部分斜視図
【図８】図７の状態の吊り折戸装置の背面側の部分斜視図
【図９】図７の状態の吊り折戸装置の水平断面図
【図１０】図２の要部拡大図
【図１１】図５の要部拡大図
【図１２】図８の要部拡大図
【図１３】本発明の吊り下げ装置の実施形態を例示する分解斜視図
【図１４】図１３の吊り下げ装置の正面図
【図１５】図１３の吊り下げ装置の背面図
【図１６】図１３の吊り下げ装置の断面図
【発明を実施するための形態】
【００１９】
以下、本発明を実施するための最良の形態につき添付図面を参照して説明する。
【００２０】
［構成］
図１乃至図１２に示すように、この実施形態の吊り折戸装置１は、左右一対の戸板１１、１２をセンタ蝶番２０により水平方向に互いに回動自在に連結してなる折戸１０と、折戸１０の上方に敷かれたレール３０と、折戸１０の左側の戸板１１をレール３０に吊り下げた状態でレール３０に沿って移動自在に支持している吊り下げ装置４０と、建物等の開口部に取り付けられた戸枠５０と、を備えている。戸枠５０は、左右の縦枠部材５１Ｌ、５１Ｒと、両縦枠部材５１Ｌ、５１Ｒの上端部に架け渡して設けられた上枠部材５２と、を有し、上枠部材５２の下面にレール３０が取り付けられている。この例では、折戸１０の右側の戸板１２は、図示しない蝶番を介して右側の縦枠部材５１Ｒに連結されている。
【００２１】
センタ蝶番２０は、折戸用の蝶番として広く用いられている公知の蝶番である。センタ蝶番２０は、いわゆるキャッチ機構を備えており、折戸１０を閉じる際に両戸板１１、１２相互間の角度が略１２５度以上になると、そのキャッチ機構が作動して、折戸１０を強制的に最閉状態（完全に閉じた状態）に誘導する。戸板１２と縦枠部材５１Ｒとを連結している蝶番もこの種の折戸において広く用いられている公知の蝶番である。
【００２２】
図１３乃至図１６に示すように、この実施形態の吊り下げ装置４０は、レール３０に走行可能に取り付けられる走行ユニット４１と、走行ユニット４１と左側の戸板１１とを互いに水平回動自在に連結するスライド蝶番４２と、を有している。
【００２３】
走行ユニット４１は、レール３０に係合する走行部４１Ａと、走行部４１Ａの下に連結された吊り下げ部４１Ｂとを有する。
【００２４】
走行部４１Ａは、レール３０の内底面に係合しつつ従動的に回転走行する左右２個、前後２個、計４個の走行輪４３と、各走行輪４３を回転自在に支持する樹脂製の走行ブロック４４と、を有する。走行ブロック４４の走行方向両端部には、ガイド輪４５が設けられている。ガイド輪４５は、走行ブロック４４がレール３０に対して水平方向に大きく傾いたときにレール３０の内側壁面に接触しつつ従動回転して走行ブロック４４に掛かる抵抗を軽減する役目を果たす。
【００２５】
吊り下げ部４１Ｂは、走行ブロック４４に支持されて直下に延びる金属製の吊り下げ軸４６ａと、この吊り下げ軸４６ａを介して走行ブロック４４に連結された吊下ブロック４６とを有する。吊り下げ軸４６ａの両側近傍には、走行ブロック４４に対する吊下ブロック４６の水平回動を防止するべく、金属製又は樹脂製の回転防止軸４６ｂが両ブロック４４、４６に架け渡して設けられている。
【００２６】
吊下ブロック４６には、折戸１０の閉まり際における戸板１１、１２の急激な回動を制動するダンパ４７を必要に応じて装着可能なダンパ装着部４８Ｆ、４８Ｒが走行方向両端部に形成されている。
【００２７】
ダンパ４７は、ダンパ本体４７Ａとダンパ本体４７Ａの先端から突き出た出力軸４７Ｂとを有し、出力軸４７Ｂが折戸１０の閉まり際に戸板によって押されることにより制動力を発生するものである。この例では、出力軸４７Ｂが折戸１０の閉まり際に右側の戸板１１によって押されることにより制動力を発生する。
【００２８】
ダンパ装着部４８Ｆ、４８Ｒは、出力軸４７Ｂを戸板に向けた姿勢でダンパ本体４７Ａを保持し得るように構成されている。ダンパ装着部４８Ｆ、４８Ｒには、ダンパ本体４７Ａを保持するダンパホルダ４９が取り付けられる。
【００２９】
ダンパホルダ４９は、ダンパ本体４７Ａが挿通される環状の保持部４９ａと、この保持部４９ａに挿通されたダンパ本体４７Ａの外周面に嵌合する断面が円弧状の凹部４９ｂとを有する。ダンパ本体４７Ａの先端には環状のフランジ部４７Ｃが形成されており、ダンパ本体４７Ａをその基端側からダンパホルダ４９の保持部４９ａに完全に挿し込んだときにフランジ部４７Ｃが保持部４９ａの端面４９ｄに当接することにより、ダンパホルダ４９に対するダンパ４７の装着が正確になされ、この状態でダンパ４７がダンパホルダ４９に安定に保持されるようになっている。
【００３０】
ダンパホルダ４９の凹部４９ｂの前後方向（長手方向）二箇所には螺子通し孔４９ｃが形成されている。一方、各ダンパ装着部４８Ｆ、４８Ｒには、ダンパホルダ４９の螺子通し孔４９ｃの孔径及び間隔に合わせて前後二カ所に螺子孔４８ａが形成されている。ダンパホルダ４９は、各螺子通し孔４９ｃに螺子６１を挿通して螺子孔４８ａに締着することにより、ダンパ装着部４８Ｆ、４８Ｒに固定される。ダンパ装着部４８Ｆ、４８Ｒに取り付けるダンパホルダ４９の向きによって、ダンパ４７を装着する向きを選択できる。すなわち、戸板と走行ユニット４１との位置関係に応じてダンパホルダ４９の向きを選ぶことにより、ダンパ４７を装着する向きを選択可能である。この例では、出力軸４７Ｂを手前に向けて右側のダンパ装着部４８Ｒにダンパ４７が装着されている。
【００３１】
スライド蝶番４２は、吊下ブロック４６に固定される断面略コ字状の本体部４２Ａと、戸板に固定されるカップ部４２Ｂと、本体部４２Ａとカップ部４２Ｂとを連結しているリンク部４２Ｃとを有する。リンク部４２Ｃは、戸板の閉状態及び開状態を保持するべく連結されたリンク部材からなる。本体部４２Ａには、螺子留め用のスリット４２ａと螺子通し孔４２ｂが形成されている。本体部４２Ａは、ダンパ装着部４８Ｆ、４８Ｒに丁度嵌るようにその寸法・形状が選定されており、螺子６２をスリット４２ａと螺子通し孔４２ｂにそれぞれ挿通して螺子孔４８ａに締着することにより、ダンパ装着部４８Ｆ、４８Ｒに固定される。スライド蝶番４２を取り付ける向きは、戸板と走行ユニット４１との位置関係に応じて選択可能である。この例では、カップ部４２Ｂを手前に配置して左側のダンパ装着部４８Ｌにスライド蝶番４２が取り付けられている。カップ部４２Ｂには上下に張り出したフランジ４２ｃが設けられている。各フランジ４２ｃには螺子通し孔４２ｄが設けられている。カップ部４２Ｂは、これを戸板の背面に形成された取付穴（図示省略）に嵌め込んだ状態で、螺子（図示省略）を各螺子通し孔４２ｄに挿入して戸板の螺子孔（図示省略）に締着することにより戸板に固定される。この例では、左側の戸板１１にカップ部４２Ｂが固定されている。
【００３２】
［作用］
上記のように構成された折戸装置１は、折戸１０を閉める際、両戸板１１、１２相互間の角度が略１２５度以上になると、センタ蝶番２０のキャッチ機構が作動し、折戸１０を強制的に最閉状態（完全に閉じた状態）に誘導する。一方、両戸板１１、１２相互間の角度が略１２５度以上になると、ダンパ４７の出力軸４７Ｂの先端が戸板１１に当接し、戸板１１の閉方向への回動に伴って出力軸４７Ｂがダンパ本体４７Ａ側に押される。これにより、ダンパ４７が圧縮されていき、ダンパ４７の制動力が戸板１１に作用する。これらの一連の動作により、折戸１０の閉まり際すなわちセンタ蝶番２０のキャッチ機構が働き始めた後における戸板１１、１２の急激な回動が防止され、折戸１０が強制的に且つ静かに閉められる。
【００３３】
上記の折戸装置１においては、折戸１０を構成する左右一対の戸板１１、１２のうち、右側の戸板１２が右側の縦枠部材５１Ｒに連結され、左側の戸板１２が吊り下げ装置４０を介してレール３０に連結されているが、これとは逆に、左側の戸板１１を左側の縦枠部材５１Ｌに連結し、右側の戸板１２を吊り下げ装置４０を介してレール３０に連結した形態を実現する場合には、吊下ブロック４６に対するスライド蝶番４２とダンパ４７の装着位置を逆にすることにとって容易に対応できる。すなわち、上記の例では吊下ブロック４６の左側のダンパ装着部４８Ｆにスライド蝶番４２が取り付けられ、右側のダンパ装着部４８Ｒにダンパ４７が装着されているが、左側のダンパ装着部４８Ｆにダンパ４７を装着し、右側のダンパ装着部４８Ｒにスライド蝶番４２を取り付けるのである。
【００３４】
このように、上記の吊り下げ装置４０は、吊下ブロック４６に対するスライド蝶番４２とダンパ４７の装着位置及び装着する向きを使用条件に応じて適宜変更可能であるので、様々な吊り折戸の吊り下げ装置として使用可能である。
【００３５】
また、ダンパ３０を装備しない構成で建物等の開口部に組み付けた既設の吊り折戸装置においても、吊下ブロック４６にダンパ３０を後付装着することにより、折戸１０の急激な回動による荒閉まりなどの問題を事後的に解消することができる。
【００３６】
また、ダンパ３０を装着した後に何らかの理由で折戸１０の荒閉まりなどを防止する必要がなくなった場合には、吊下ブロック４６からダンパ３０を取り外すことができる。また、ダンパ３０の交換も容易に行うことができる。
【００３７】
なお、上記実施形態では、折戸１０を構成する左右一対の戸板１１、１２のうち、一方の戸板１１のみ吊り下げ装置４０を介してレール３０に連結され、もう一方の戸板１２は縦枠部材５１Ｒに連結されているが、両方の戸板１１、１２を吊り下げ装置４０を介してレール３０に連結することも可能である。
【符号の説明】
【００３８】
１  折戸装置
１０  折戸
１１、１２  戸板
２０  センタ蝶番
３０  レール
４０  吊り下げ装置
４１  走行ユニット
４１Ａ  走行部
４１Ｂ  吊り下げ部
４２  スライド蝶番
４４  走行ブロック
４６  吊下ブロック
４７  ダンパ
４７Ａ  ダンパ本体
４７Ｂ  出力軸
４８（４８Ｆ、４８Ｒ）  ダンパ装着部
４９  ダンパホルダ
５０  戸枠
【図１】
0005603061.tif 000002
【図２】
0005603061.tif 000003
【図３】
0005603061.tif 000004
【図４】
0005603061.tif 000005
【図５】
0005603061.tif 000006
【図６】
0005603061.tif 000007
【図７】
0005603061.tif 000008
【図８】
0005603061.tif 000009
【図９】
0005603061.tif 000010
【図１０】
0005603061.tif 000011
【図１１】
0005603061.tif 000012
【図１２】
0005603061.tif 000013
【図１３】
0005603061.tif 000014
【図１４】
0005603061.tif 000015
【図１５】
0005603061.tif 000016
【図１６】
0005603061.tif 000017